(57)【特許請求の範囲】
【請求項１】
ティシュペーパーの取出し口を有する紙箱の天面から連接する４つある側面のうち、ティシュペーパー束を挿入する開口部の互いに並行する２つの側面は、他の２つの側面から連接する一対の内フラップと天面または底面に連接する一対の上下外フラップからなり、
内側に折り込まれた前記内フラップとその外側に折り込まれた前記上外フラップ、および下外フラップとその外側に折り込まれた上外フラップが、それぞれ接合されており、前記側面の開口部が閉鎖されている紙箱において、
上記の下外フラップの上縁もしくはその近傍に、横方向に延びる解体用のミシン目または切込みが設けられており、且つこのミシン目または切込みの横方向中央部には下向き円弧状部が形成されており、
一対の内フラップと外フラップとの接合は、内フラップと上外フラップのみで接合されており、内フラップと上外フラップが重なる部分及び下外フラップと上外フラップが重なる部分に接着剤が塗布されており、上外フラップが一対の内フラップと下外フラップに接合固定されていることを特徴とする廃棄しやすいティシュペーパー用紙箱。
【請求項２】
前記下向き円弧状部を箱天面側に引張ることによって、この解体用ミシン目または切込みを境とした下外フラップの破断片が上外フラップの内面に接着した状態で破断され１回の操作で側面フラップ解体が可能な請求項１記載の紙箱。
【請求項３】
相接合する、上外フラップと内フラップの接着剤塗布部分に紙厚に対してハーフカットを施した請求項１または２記載の紙箱。
【請求項４】
ハーフカットの形状が接着剤の塗布形状の全部もしくは略周囲を囲める形状である請求項１から３までのいずれか１項記載の紙箱。
【発明の詳細な説明】
【技術分野】
【０００１】
本発明は、ティシュペーパー使用後の紙箱の解体が容易にできる廃棄しやすいティシュペーパー紙箱に関する。
【背景技術】
【０００２】
フェイシャルティシュなどの薄葉紙の収納に用いられている直方体または立方体の紙箱は、使用後はそのままでは嵩張るので解体された形で廃棄される。解体するためには、ホットメルト等の接着剤で固定されている紙箱側面の上下フラップを剥がす必要がある。このため、紙箱側面部にミシン目を施して解体を容易にしたものがある。（特許文献1、２参照）。
【先行技術文献】
【特許文献】
【０００３】
【特許文献１】特開平5-32279号公報
【特許文献２】特開2002-29580号公報
【発明の開示】
【発明が解決しようとする課題】
【０００４】
しかしながら、ミシン目での上下フラップの切り離し時にフラップが裂けたり、破片が残ったり、また、左右の内フラップとの接着剥がれがうまくいかず1回の操作できれいに解体できない問題点があった。本発明では、1回の操作で、上下フラップのミシン目での切り離し及び内フラップとの接着が剥がれ、容易に解体できる紙箱を提供することを目的とする。
【課題を解決するための手段】
【０００５】
（１）ティシュペーパーの取出し口を有する紙箱の天面から連接する４つある側面の内、ティシュペーパー束を挿入する開口部の互いに並行する２つの側面は、他の２つの側面から連接する一対の内フラップと天面又は底面に連接する一対の上下外フラップからなり、内側に折り込まれた前記内フラップとその外側に折り込まれた前記上外フラップ、および下外フラップとその外側に折り込まれた上外フラップが、それぞれホットメルトや酢ビ系の接着剤で接合され、前記側面の開口部が閉鎖されている。尚、前記上下外フラップは先端部分が重なり合う。
【０００６】
（２）本発明は下外フラップに解体用ミシン目または切込みが設けられており、一対の内フラップと外フラップの接合は、内フラップと上外フラップのみで接合されている。
【０００７】
（３）内フラップと上外フラップ接合するために、前記接着剤は、内フラップと上外フラップが重なる部分及び下外フラップと上外フラップが重なる部分に塗布されている。
【０００８】
（４）解体用ミシン目または切り込みは、下外フラップの上縁線もしくは近傍線に沿って横方向に延びた直線部及びその中間に底面側に向って下向きの円弧状形状を含む。
【０００９】
（５）側面部解体の操作は、解体用ミシン目または切込みの下向き円弧状部を破断し、天面に向けて引張り上げる１回の操作で、下外フラップのミシン目または切込み部が切り離され、切り離された部分が上外フラップに接合した状態で、上外フラップと内フラップの接合が剥がされることで完結する。
【００１０】
（６）接合部の前記接着剤が塗布される部分には、解体時に容易に接着部分が剥離破壊できるように、ハーフカットを施し、その深さは、紙厚に対して、５〜５０％程度が望ましい。
【００１１】
（７）下外フラップのミシン目又は切込み部分のボンド幅は０．２ｍｍ以上１．０ｍｍ以下で、ミシン目又は切込み部分の全長に対して、ボンド部分の比率は２〜１５％程度が望ましい。
【発明の効果】
【００１２】
従来の下外フラップに解体用ミシン目が施された紙箱を解体する場合は、親指等で下外フラップについている円弧状のミシン目を破り、そこから上外フラップを紙箱の天面方向に引張り上げて、上下外フラップの接合及び上フラップと内フラップの接合を破壊し、続いて下外フラップと内フラップとの接合を破壊する。これでは側面のフラップを解体するのに２回の操作が必要になる。しかし、本発明により、内フラップと下外フラップをピッタリと折り込み、下外フラップと上外フラップの重なり部分及び内フラップと上外フラップの重なり部分にのみ前記接着剤を塗布して接合することで、内フラップと上下外フラップが固定され、側面部を閉鎖することができる。これによって、下外フラップと内フラップを接合する接着剤及びその塗布設備が省略でき、１回の操作で解体ができる。
【図面の簡単な説明】
【００１３】
【図１】発本明の実施形態に係るティシュペーパー紙箱側面のフラップ組立てを示す斜視図
【図２】ティシュペーパー紙箱側面のフラップを閉じたときの斜視図
【図３】従来ティシュペーパー紙箱側面の接着剤を塗布した状態を示す斜視図
【図４】本発明ティシュペーパー紙箱側面の接着剤を塗布した状態を示す斜視図
【図５】ティシュペーパー紙箱側面の下外フラップに設けたミシン目の図
【図６】ティシュペーパー紙箱側面の下外フラップに設けた切込みの図
【図７】ティシュペーパー紙箱側面を解体したときの斜視図
【発明を実施するための形態】
【００１４】
以下、本発明の実施形態について図面にて説明する。これは、例示の目的で掲げたものであり、これによって本発明を限定するものではない。
【００１５】
図１は、本発明の実施形態に係るティシュペーパー紙箱の一方の側面の組立て及び解体状態を示す部分斜視図である。図1の（ａ）（ｂ）（ｃ）は、この順序でフラップが接合される工程を示す。
ティッシュペーパー束を挿入した開口側の側面の組立ては図1（ａ）に示すように左右の内フラップ４は開口側に対向的に折込まれ、上下に開いている外フラップのうち、下外フラップ３が折込まれた後に、上外フラップ２が折込まれるが、フラップを接合するための接着剤は、左右内フラップ４と、下外フラップ３の上外フラップとの重なる部分６に、部分的に塗布する。この塗布部分６’の近傍（接着剤塗布部分より多少外側）に解体用ミシン目または切込み７が設けられる。内フラップ４の接着剤が塗布される部分には接着層が剥がれやすいようにハーフカットを施してもよい。
【００１６】
図２は本発明の実施形態のティッシュペーパー紙箱側面のフラップを閉じたときの斜視図である。下外フラップ３の上縁もしくはその近傍に沿って横方向に延びる解体用のミシン目又は切込み７を設け、且つこのミシン目又は切込みの横方向の中央部には解体用のミシン目又は切込み７を紙箱天面方向に引張るための下向き円弧状部７’が形成してある。
【００１７】
従来のティシュペーパー紙箱は、図３に示すように下外フラップ３及び上外フラップ２がそれぞれ内フラップ４に接着剤で接合されており、紙箱解体時には、ミシン目を破り、上外フラップ２と内フラップ４との接合を剥がす操作と、下外フラップ３と内フラップ４との接合を剥がす操作の２回の操作が必要である。
図４に本発明によるティッシュペーパー紙箱側面の接着剤を塗布したときの図を示す。本発明では、下外フラップ３と内フラップは接着剤で接合されない。
紙箱にティッシュ束を挿入した後、まず左右の内フラップ４を折り込み、次に下外フラップ３を折り込み、図４（ｂ）に示すように、内フラップ及び下外フラップ外側の上下フラップの重なり部分６に接着剤５を塗布し、上外フラップを折込んで、左右の内フラップと下外フラップに同時に上外フラップを接合固定する。接着剤の塗布方法は、図４（ｃ）に示すように、上外フラップの内側の所定の位置、即ち内フラップと重なる部分及び下外フラップと重なる部分であってもよい。接着剤の塗布位置は解体用のミシン目または切込みからはみ出ないようする。前記上下外フラップの重なり幅は１０ｍｍから１５ｍｍが望ましい。
図５に本発明のティッシュペーパー紙箱解体用ミシン目の図を示す。下外フラップ３の上縁部又はその近傍即ち、上下外フラップ重なる部分６の近傍に沿って横方向に延びる解体用ミシン目７を設け、且つこのミシン目の横方向中央部には解体用ミシン目を紙箱天面方向に引張るための下向き円弧状部７’を形成している。ミシン目は図６に示す切込みであっても良い。また、その併用でも良い。
ミシン目又は切込み部分７にはボンド部分（切残し部分）を設けており、その幅は０．２ｍｍ〜１．０ｍｍ、ミシン目または切込み部分の全長に対するボンド部分の占める割合が２〜１５％であることが望ましい。
図７に本発明のティシュペーパー紙箱の解体方法を説明する図を示す。
【符号の説明】
【００１８】
1・・・ティシュペーパー紙箱
2・・・側面開口部の上外フラップ
3・・・側面開口部の下外フラップ
4・・・側面開口部の内フラップ
5・・・フラップ接合用の接着剤
6・・・上下外フラップの重なり部分
6´・・・前記6における接着剤塗布部分
7・・・解体用ミシン目又は切込み
7´・・・円弧状押し込み部
【図１】
0005920962.tif 000002
【図２】
0005920962.tif 000003
【図３】
0005920962.tif 000004
【図４】
0005920962.tif 000005
【図５】
0005920962.tif 000006
【図６】
0005920962.tif 000007
【図７】
0005920962.tif 000008